(57)【要約】      （修正有）【課題】フラット・パネル検出器を使用中でない間に保管し、且つホット・スポットが生じないように、保管されている検出器の温度を調節する。【解決手段】複数のＸ線検出器用のドッキング・ステーションが開示され、使用中でないときのＸ線検出器を、落下、振動及び他の潜在的に損傷を起こす可能性のある事態に対するＸ線検出器の曝露を制限するように保護すべく設計される。ドッキング・ステーションは、保管されているＸ線検出器の温度を調節する。熱調節は、対流、伝導、輻射及び他の熱伝達原理を用いて受動的に又は能動的に行なうことができる。ドッキング・ステーションは自立型であってもよいし、壁掛け型であってもよい。ドッキング・ステーションは、Ｘ線スキャナから隔設されていてもよいし、Ｘ線スキャナと一体型であってもよい。また、ドッキング・ステーションは、保管されているＸ線検出器のバッテリを充電／再充電する装備を施されていてよい。【選択図】図７
2006102492.tif 000002
【特許請求の範囲】
【請求項１】
少なくとも１基のＸ線検出器（３０）を収容する寸法に作製されている保管容器（２１）と、
保管されているＸ線検出器（３０）の温度を所望の温度に調節するように構成されている温度調節器（８４）と、
を備えたＸ線検出器保管装置。
【請求項２】
前記保管容器（２１）は、Ｘ線スキャナから取り外されたＸ線検出器（３０）を保管するように構成されている、請求項１に記載のＸ線検出器保管装置。
【請求項３】
前記保管容器（２１）はＸ線スキャナから離隔して位置している、請求項１に記載のＸ線検出器保管装置。
【請求項４】
前記保管容器（２１）は、保管されているＸ線検出器（３０）とインタフェイス接続されて前記保管されているＸ線検出器（３０）の温度データ（１１８）を前記温度調節器（８４）へ送るデータ・ポート（１００）を含んでいる、請求項１に記載のＸ線検出器保管装置。
【請求項５】
前記温度調節器（８４）は、前記Ｘ線検出器（３０）の前記温度を前記所望の温度に調節するために、前記保管されているＸ線検出器（３０）の前記温度の上昇又は下降を行なうように構成されている、請求項１に記載のＸ線検出器保管装置。
【請求項６】
前記温度調節器（８４）は、前記保管されているＸ線検出器（３０）の前記温度を前記所望の温度と比較し、該比較から、前記保管されているＸ線検出器（３０）の内部構成要素に熱応力を加えずに前記保管されているＸ線検出器（３０）の前記温度を前記所望の温度にするのに必要な温度調節速度を決定するように構成されている制御器（１１６）を含んでいる、請求項１に記載のＸ線検出器保管装置。
【請求項７】
前記温度調節器（８４）は、前記保管されているＸ線検出器（３０）の前記温度を調節するために熱電変換式冷却装置（１０８）を含んでいる、請求項１に記載のＸ線検出器保管装置。
【請求項８】
前記温度調節器（８４）は、前記保管されているＸ線検出器（３０）の１面又は複数の外面（９６）の周囲に圧縮空気（１０４）を送るコンプレッサ（１０２）を含んでいる、請求項１に記載のＸ線検出器保管装置。
【請求項９】
前記温度調節器（８４）は、前記保管されているＸ線検出器（３０）の周囲に冷却材を循環させるように設計されている閉鎖式冷却材回路（１１２）及び冷却材供給源を含んでいる、請求項１に記載のＸ線検出器保管装置。
【請求項１０】
保管されているＸ線検出器（３０）が前記所望の温度と実質的に等価な温度を有するとの視覚的指標を与えるように構築された発光ダイオード（ＬＥＤ）（１２４）をさらに含んでいる請求項１に記載のＸ線検出器保管装置。
【発明の詳細な説明】
【技術分野】
【０００１】
本発明は一般的には、診断撮像に関し、さらに具体的には、保管されている検出器の温度を調節するドッキング・ステーションに関する。
【背景技術】
【０００２】
Ｘ線撮像は、臨床診断のために患者の画像を撮影したり、手荷物、小荷物及び他の小貨物のような密封された容器の内容物を検査したりするための非侵襲的手法である。これらの画像を撮影するために、Ｘ線源がＸ線の扇形ビーム（ファン・ビーム）で走査被検体を照射する。すると、Ｘ線は走査被検体を通過するにつれて減弱する。減弱の程度は、走査被検体の内部組成の変化の結果として該走査被検体にわたって変化する。減弱したエネルギはＸ線検出器に入射し、Ｘ線検出器は減弱したエネルギを画像再構成に利用可能な形態に変換するように設計されている。制御システムが、Ｘ線検出器に記憶されている電荷を読み出して、対応する画像を形成する。従来のスクリーン・フィルム式検出器では、画像をフィルムに現像して、バックライトを用いて表示する。
【０００３】
フラット・パネル式ディジタルＸ線検出器が、画像再構成用データを取得するのに益々用いられるようになっている。フラット・パネル検出器は一般的には、シンチレータを有するものとして構成されており、シンチレータを用いてＸ線を可視光へ変換し、可視光を感光層によって検出することができる。感光層は感光素子又は検出素子のアレイを含んでおり、素子は、個別に検出された光に比例する電荷を各々蓄積する。一般的には、各々の検出素子が、感光領域と、電荷の蓄積及び出力を制御する電子回路で構成された領域とを有している。感光領域は典型的には光導体で構成され、可視光に曝露されると電子が光導体において放出される。この曝露の間に、電荷が各々の検出器素子において収集されて、電子回路領域に配置されているキャパシタに蓄積される。曝露の後に、各々の検出器素子の電荷を論理制御式電子回路を用いて読み出す。
【０００４】
各々の検出器素子は従来は、トランジスタ方式のスイッチを用いて制御されている。この観点で、トランジスタのソースはキャパシタに接続され、トランジスタのドレインは読み出し線に接続され、トランジスタのゲートは、検出器の電子回路に配設されている走査制御インタフェイスに接続される。負電圧をゲートに印加すると、スイッチが駆動されてオフ状態になり、すなわちソースとドレインとの間の導通がなくなる。一方、正電圧をゲートに印加すると、スイッチはオンとなり、ソースがドレインに接続される。検出器アレイの各々の検出器素子は、それぞれのトランジスタを備えて構築され、以下に述べる態様に整合した態様で制御される。
【０００５】
明確に述べると、Ｘ線照射中に、負電圧を全てのゲート線に印加すると、全てのトランジスタ・スイッチがオフ状態に駆動され又は配置される。結果として、照射中に集積されたあらゆる電荷が各々の検出器素子キャパシタに蓄積される。読み出し中に、正電圧が各々のゲート線に相次いで印加され、１回につき１個のゲートに印加される。この観点で、１回に１個の検出器素子のみが読み出される。また、マルチプレクサを用いてラスタ方式での検出器素子の読み出しを支援してもよい。各々の検出器素子を個々に相次いで読み出す利点は、１個の検出器素子からの電荷が他の如何なる検出器素子をも通過しないことである。次いで、各々の検出器素子からの出力をディジタイザに入力すると、ディジタイザは、後に行なわれるピクセル毎の画像再構成のために、取得された信号をディジタル化する。再構成画像の各々のピクセルが検出器アレイの単一の検出器素子に対応している。
【０００６】
上述のように、間接検出式ディジタルＸ線検出器は、ヨウ化セシウム（ＣｓＩ）のようなシンチレート性の材料の層を用いて、入射した放射線を可視光へ変換し、可視光が検出器アレイの個々の検出器素子の感光領域によって検出される。一般的には、トランジスタ制御式検出器素子は薄いガラス製基材に支持される。基材は検出器素子及びシンチレータ層を支持し、この基材はパネル支持体によって支持される。パネル支持体は検出器構成要素を支持するように設計されているばかりでなく、検出器を制御する電子回路を画像検出用構成要素から隔離する。電子回路はパネル支持体によって支持されて、背面カバーによって封入される。
【発明の開示】
【発明が解決しようとする課題】
【０００７】
以上に述べたように、Ｘ線検出器は多数の電子的構成要素を有する。これらの電子的構成要素は、Ｘ線検出器の動作、例えばデータ取得及びデータ読み出しに必要とされる複雑な工程を実行するために益々多くの電力を要求するようになっている。このように電力要件が高まると、Ｘ線検出器がより大きな熱負荷に曝され、これにより、Ｘ線検出器の外面に「ホット・スポット」が生じ得る。このようなものとして、ホット・スポットが生ずると、Ｘ線検出器を業務から外して冷却させなければならない。
【０００８】
提案されている一解決法は、熱した空気をより低温の環境へ排出するように設計されているファンをＸ線検出器に組み入れるものである。かかる解決法は原理的には有効であろうが、医療装置としてのＸ線検出器は、消毒薬及び他の殺菌用製品を検出器の内部構成要素に損傷を与えずに塗布し得るように、密封された状態になければならない。このようなものとして、洗浄剤の侵入を許すような排出口を有するＸ線検出器を設計することは実用的でない。加えて、かかる排出口は、粉塵及び他の微粒子屑の侵入を許してＸ線検出器の動作を妨げる虞もある。
【０００９】
提案されている他の解決法としては、輻射及び自由対流があるが、両方ともＸ線検出器の温度を即応的に調節するのには不適当である。Ｘ線検出器は比較的小さい表面積を有するので、輻射損は小さく、また急速でもない。同様に、自由対流は、即応的な態様でＸ線検出器を所要の温度に保つのに十分な熱量を除去しない。すなわち、Ｘ線検出器は使用状態及び非使用状態に繰り返し配置される。Ｘ線検出器の使用中にホット・スポットが発生したら、Ｘ線検出器を使用から外して冷却しなければならない。自由対流は熱を除去することはできるが、このための所要時間が長い場合があり、Ｘ線検出器の停止時間がかなり長くなる。このことは、救急治療室及び優先治療（トリアージュ）センターのように、患者を診断するのに回転時間が緊要になり得るような集中的利用を行なう施設では問題となる。空港及び郵便施設等での手荷物検査のような非医療的環境でも同じ緊要性が見受けられる。
【００１０】
また、これらの提案された解決法は、Ｘ線検出器から熱を放散することのみを考慮しており、Ｘ線検出器の温度を所定の温度範囲内に保つことは考慮していない。Ｘ線検出器の構成要素の温度が所与の範囲内に保たれている場合にこれらの構成要素がより効率的に動作することは十分に認められている。従って、使用中でないＸ線検出器の温度を動的に監視して、検出器の温度が所与の範囲内に納まるように能動的に調節する必要がある。このようなものとして、Ｘ線検出器が使用中でない時間の後に使用中になったときに、最適温度まで加熱するのに通常必要とされる時間を回避すると、これによりＸ線検出器の停止時間がさらに短縮する。
【００１１】
従って、Ｘ線検出器が保管から取り出されて使用中になったときのＸ線検出器の動作性を高めるために、Ｘ線検出器が使用中でない間にＸ線検出器を保管し、且つ保管されているＸ線検出器の温度を調節する装置を設計できると望ましい。
【課題を解決するための手段】
【００１２】
本発明は、保管されているＸ線検出器の熱調節を設けたＸ線検出器ドッキング・ステーションであって、上述の欠点を克服するＸ線検出器ドッキング・ステーションに関するものである。
【００１３】
１基又は複数のＸ線検出器用のドッキング・ステーションが開示され、このドッキング・ステーションは、使用中でないときのＸ線検出器を、落下、振動及び他の潜在的に損傷を起こす可能性のある事態に対するＸ線検出器の曝露を制限するように保護すべく設計される。加えて、ドッキング・ステーションは、保管されているＸ線検出器の温度を調節する装備を施されている。熱調節は、対流、伝導、輻射及び他の熱伝達原理を用いて受動的に又は能動的に行なうことができる。ドッキング・ステーションは、熱調節が動的に且つ即応的に達成され得るように、保管されているＸ線検出器と連絡する電子的インタフェイスを含んでいる。ドッキング・ステーションは自立型であってもよいし、壁掛け型であってもよい。ドッキング・ステーションは、Ｘ線スキャナから隔設されていてもよいし、Ｘ線スキャナと一体型であってもよい。また、ドッキング・ステーションは可搬型であってもよい。
【００１４】
従って、一観点によれば、本発明は、少なくとも１基のＸ線検出器を保管する寸法に作製されている保管容器を有するＸ線検出器保管装置を含んでいる。この保管装置はまた、保管されているＸ線検出器の温度を所望の温度に調節するように構成されている温度調節器を有する。他の観点では、温度調節器は、Ｘ線検出器又はドッキング・ステーション構成要素に結露が生じないように、保管されているＸ線検出器の温度を周囲の相対湿度を考慮に入れて調節することもできる。
【００１５】
もう一つの観点では、Ｘ線検出器保管装置が提供され、この装置は、Ｘ線検出器の非使用中にＸ線検出器を収容する寸法に作製されている収容器を含んでいる。この装置はまた、収容器に接続されておりＸ線検出器が収容器内に配置されたときのＸ線検出器の温度についてのフィードバックを供給するように構成されている温度制御インタフェイスを有している。熱交換システムが、Ｘ線検出器が収容器内に配置されているときのＸ線検出器の温度を調節するように構成されている。この装置はさらに、フィードバックを受け取って、収容器に配置されているＸ線検出器の温度と所望の温度との間の差を小さくするように熱交換システムを制御すべく接続されて動作する制御器を含んでいる。
【００１６】
さらにもう一つの観点では、本発明は、１基又は複数のフラット・パネルＸ線検出器を収容する寸法に作製されている保管容器と、保管容器に配置されているフラット・パネルＸ線検出器から温度データを受領するように構成されているインタフェイスとを有するＸ線検出器ドッキング・ステーションを含んでいる。ドッキング・ステーションはさらに、インタフェイスから受領した温度データに基づいてフラット・パネルＸ線検出器の温度を調節する手段を含んでいる。
【００１７】
本発明のその他様々な特徴及び利点は、以下の詳細な説明及び図面から明らかとなろう。
【００１８】
図面は本発明を実施するために現状で想到される一つの好適実施形態を示す。
【発明を実施するための最良の形態】
【００１９】
本発明は、可動型Ｘ線イメージング・システムに用いられるフラット・パネル型、固体、間接検出式、且つ可搬型のディジタルＸ線検出器について記載される。但し、本発明は、直接検出式ディジタル検出器等を含めた他の形式のＸ線検出器にも同等に適用可能である。加えて、本発明を静止又は固定の室内型Ｘ線イメージング・システムと共に用いてもよい。さらに、本出願は、撮像「被検体」及び撮像「対象」との用語を参照する。これらの用語は相互排他的ではなく、このようなものとして、この用語の利用は互換的であり、特許請求の範囲を限定するものではない。
【００２０】
図１には、本発明を組み入れた可搬型Ｘ線検出器について適用可能な例示的な可動型Ｘ線イメージング・システム１０を示す。Ｘ線源１２が、水平アーム２０の一端に装着されているか又は他の場合には固定されている。アーム２０は、特定の関心領域の照射を最適化するような態様でＸ線源１２を被検体の上方で可変配置することを可能にする。Ｘ線源１２は典型的には、支柱１４において水平保持（ジンバル）型構成を介して装着されていてよい（図示されていない）。この観点で、Ｘ線源は、被検体のＸ線照射を行なうためには、可動型Ｘ線ユニット台１６上の休止位置又は停止位置から被検体の上方の適当な位置まで垂直方向に回転することができる。支柱１４の回転運動は典型的には、Ｘ線源１２に給電するのに用いられる高電圧ケーブル１８の縺れを防ぐために、３６０°以下の値に制限される。ケーブル１８は、業務用電源（図示されていない）又は台１６に設けられているバッテリ（図示されていない）に接続されて、Ｘ線源１２及びシステム１０のその他の電子的構成要素へ給電することができる。当業者は、撮像被検体から得られた画像の表示のために、システム１０に表示ユニット（図示されていない）を設けてもよいし、システム１０を表示ユニット（図示されていない）に接続可能にしてもよいことを認められよう。後に詳述するように、この可動型システムは、台１６の内部にＸ線検出器の保管のための可倒式保管容器２１を含んでいてよい。この保管ベイはまた、受動的及び能動的な熱制御手法を用いて、保管されているＸ線検出器の温度を調節するように構成されていてよい。単一の保管されているＸ線検出器のみを図示しているが、保管容器は多数のＸ線検出器を保持する寸法に構成され得るものと思量される。加えて、保管容器が、Ｘ線スキャナが輸送されているときの保管されているＸ線検出器に対する移動、振動及び応力等を制限するように各々のＸ線検出器をしっかりと収容していると好ましい。この観点で、保管容器は、Ｘ線検出器を堅固に収容して、Ｘ線スキャナが揺さぶられても、他の場合であれば保管されている検出器に加わる虞のあるあらゆる力を弱めるフォーム又は他の変形可能な材料を含み得る。
【００２１】
図２には、Ｘ線イメージング・システム１０の模式図が示されている。上で参照したように、システム１０は、焦点スポット２４から軸２６に沿って撮像対象２８に向かって照射のファン・ビーム２２を投射するように設計されているＸ線源１２を含んでいる。当業者は、患者、並びに手荷物及び小荷物等を、例示的なＸ線イメージング・システム１０を用いて非侵襲的に検査し得ることを認められよう。フラット・パネル・ディジタル検出器３０が、対象２８を透過して対象２８によって減弱したＸ線を検出する。図２ではコリメータ・ブレードを含むものとして概略図示されているコリメータ・アセンブリ３２を用いて、照射範囲を制御するようにＸ線ファン・ビーム２２をコリメートすることができる。
【００２２】
ホスト又はスキャナ・インタフェイス３４が、通信インタフェイス３６、キーボード３８又は他のデータ入力装置、ＣＰＵ４０、メモリ４２、及び対象の再構成画像を表示するコンピュータ・モニタのような表示ユニット４４を含んでいる。バス４６が、キーボード３８、ＣＰＵ４０、メモリ４２及び表示ユニット４４を通信インタフェイス３６に接続している。ＣＰＵは、マイクロプロセッサ、ディジタル信号プロセッサ、マイクロコンントローラ、並びに論理動作及び処理動作を実行するように設計されているその他の装置を含み得る。Ｘ線画像に対応する信号はフラット・パネル検出器３０から読み出し電子回路４６を介して読み出される。図示しないが、ホスト・インタフェイス３４は、監視及び保守のためにインターネット又は通信リンクを介して中央施設に接続され得るものと思量される。
【００２３】
加えて、読み出し電子回路は、フラット・パネル検出器から、検出器とイメージング・システムとの間の有線接続を介して信号を読み出すことができる。また、読み出しを検出器とイメージング・システムとの間の無線通信を介して行なってもよいものと思量される。この観点で、当業者は、イメージング・システム及び検出器がデータの無線伝送を支援する送受信器、アンテナ及び他の動作サーキットリを装備していてよいことを認められよう。
【００２４】
図３には、本発明を組み入れた可搬型フラット・パネルＸ線検出器３０を遠近図で示す。検出器３０は好ましくは、間接検出式固体ディジタル検出器であって、Ｘ線が入射すると光を放出するシンチレータによる発光から、撮像被検体によるＸ線減弱量を決定する。検出器３０は、軽量の耐久性複合材で形成されたカバー４８を含んでいる。検出器の可搬性を支援するために把手５０がカバーに組み入れられている。図示のように、検出器３０は固定の有線コード（tether）を用いずに構築されてよい。この観点で、検出器は、使用するときに読み出し電子回路に接続される有線コード（図示されていない）に接続され得る。使用中でない場合には、検出器は有線コードから容易に取り外されて、イメージング・システムから離隔して保管され得る。カバーの上部は、検出器のシンチレータ層の表面寸法を視覚的に画定するテンプレート５２を含んでいる。テンプレート５２は、データ取得のために検出器を配置するときに利用者を視覚的に支援するように設計されている。
【００２５】
本発明は間接検出式ディジタル検出器に特に適用可能であるが、本発明を直接検出式ディジタル検出器で具現化してもよい。直接検出式ディジタル検出器は、アモルファス・セレン又は類似材料の光導体の層を薄膜トランジスタ・アレイに結合させて用いる。セレン層でのＸ線相互作用によって電子（又は電子孔）が放出され、これらの電子（又は電子孔）を用いて信号を直接的に発生する。電子の横方向拡散を最小限に抑えて空間分解能を保つようにセレン層に跨がる電場を形成するために、電極がしばしば用いられる。セレンに加えて、ヨウ化第二水銀、テルル化カドミウム及びヨウ化鉛を用いる場合もある。
【００２６】
図４では、検出器３０の内部構成を分解組立図で概略図示する。検出器３０は上側カバー５４を含んでおり、上側カバ−５４は下側カバー５６と共に、内部の構成要素のための外被又は密閉容器を形成する。カバー５４及び５６は両方とも好ましくは、検出器の構成要素を収納して負荷又は落下を蒙ったときにも構成要素が破損しないように保護するように、カーボングラファイトのような複合材及び粘弾性フォームのような衝撃吸収材で形成されている。後に詳述するように、カバー５４及び５６に、落下又は負荷を蒙ったときの検出器構成要素の破損を阻止するバンパー、フォーム挿入材及び衝撃吸収材料層等を設けて構築してもよい。組み立てたときに、上側カバー５４は、検出器を床に配置して立位の被検体を支持し得るような態様で構築される。この観点で、上側カバー・パネル５４は、負荷を蒙ったときの撓みを最小限に抑えるように設計されている。
【００２７】
上側カバー５４及び下側カバー５６は集合的に、組み立てられたときに把手５０を形成する。把手は検出器の可搬性を支援する。加えて、検出器は、データ取得及び読み出しの際に検出器をスキャナに接続するのに用いられる有線コード（図示されていない）から速やかに切り離されるように構築される。このようなものとして、検出器３０は、互いに離隔した多数の走査拠点へ又はかかる走査拠点から輸送することができる。このことは、救急室及び他の優先治療施設では特に有利である。さらに、検出器の可搬性及び着脱性によって図１に示すもののような可動型Ｘ線イメージング・システムの可動性がさらに向上する。
【００２８】
検出器３０はさらに、入射したＸ線又はγ線を可視光へ変換するように設計されているシンチレータ層５８を含んでいる。シンチレータ層５８は、ＣｓＩ又は他のシンチレート性材料から作製することができ、受光したＸ線の数及びエネルギに比例した光を放出するように設計されている。このようなものとして、光放出は、より多くのＸ線が受光されたか又は受光されたＸ線のエネルギ・レベルがより高いかのいずれかのシンチレータ層５８の領域において相対的に高くなる。被検体の組成は、Ｘ線管によって投射されるＸ線を減弱させるので、シンチレータ層に入射するＸ線のエネルギ・レベルはシンチレータ層を横断して一様とはならない。この光放出の変化を用いて、再構成画像のコントラストを捕える。
【００２９】
シンチレータ層５８によって放出された光は、検出器素子アレイ６０の検出器素子によって検出される。各々の検出器素子６２が、再構成画像の画素又はピクセルに対応する。各々の検出器素子６２は、感光又は光伝導領域６４と電子回路領域６６とを含んでいる。Ｘ線照射の間に、感光領域６４において検出された光に比例した電子が感光領域６４において放出される。電子回路領域６６は、感光領域によって蓄積された電荷を記憶するキャパシタ（図示されていない）を含んでいる。照射の後に、キャパシタを読み出し電子回路に接続するように、電子回路領域６６の薄膜トランジスタ（図示されていない）がバイアスを印加される。一般的には、マルチプレクサ（図示されていない）を用いて逐次的なラスタ方式での離散的な検出器素子の読み出しを制御する。この観点で、後に行なわれる画像再構成のためのディジタル化のために、各々の検出器素子の出力が相次いでディジタイザに入力される。
【００３０】
検出器素子６２の薄膜トランジスタはガラス基材６８によって支持される。基材６８に蝕刻されたリード線（図示されていない）を用いて、検出器素子の電気的出力を送ると共に、薄膜トランジスタへのバイアス電圧を印加する。ガラス基材は一般的には、極めて薄く、脆い。この観点で、上で参照したように、上側カバー５４及び下側カバー５６は、衝撃吸収材によって、ガラス基材の破損防止を支援するように設計される。加えて、検出器３０を用いて、撮像時の比較的大きい負荷、例えば平均的な体格の成人男性の足の撮像を支持する場合があるので、上側カバー・パネル５４はさらに、検出器に対する応力を軽減して、ガラス基材及び他の検出器構成要素の破損をさらに防止するように設計される。
【００３１】
ガラス基材６８は、検出器パネル支持体７０によって支持される。パネル支持体７０は、基材６８を支持するように設計されているばかりでなく、支持体７０を用いて電子回路７２からＸ線変換及び光検出用構成要素を分離することも行なわれる。パネル支持体７０は、構造支持材料に加えて、放射線吸収材を含むように構築される。放射線吸収材をパネル支持体の内部に組み入れると、後方散乱したＸ線の検出が減少するか又は解消する。すなわち、放射線吸収材はシンチレータ層、検出器素子アレイ及びガラス基材を通過したＸ線、並びに検出器の背面カバーから偏向したＸ線を吸収する。この観点で、電子回路７２は撮像されない。
【００３２】
電子回路７２は一実施形態では、Ｌ字形を有し、検出器の処理及び論理制御電子回路を支持するように配設される。電子回路は好ましくは、検出器の動作及び診断を監視するＬＥＤを含んでいる。マザーボードはまた、検出器の温度及び被検体の温度についてのフィードバックを供給する温度センサを含み得る。電子回路はまた、検出器の加速を検出してこれに応じたデータを記憶するように設計されている加速度計を支持していてもよい。この観点で、加速度計を用いて、検出器が急激な加速度の増加に遭遇した日時すなわち落下した日時を記録することができる。電子回路はまた、フラッシュ・メモリを含めた様々な記憶装置を含んでいてよい。無線式の具現化形態では、マザーボードは、Ｘ線スキャナへ無線でデータを伝送するためのアンテナ及び送受信器を含み得る。加えて、電子回路は、検出器電子回路に給電するバッテリ又は他のＤＣ電源を含んでいてよい。電子回路は、下側カバー・パネル５６によって支持される。
【００３３】
上述のように、Ｘ線検出器は、比較的高いエネルギの衝撃、応力及び歪みに耐えるように設計されており、検出器を落としたり検出器の上を踏んだりする場合にも比較的敏感な構成要素すなわちシンチレータ層、検出器素子アレイ、ガラス基材及びマザーボードが損傷を受けないようにしている。この観点で、一実施形態では、Ｘ線検出器３０は２層の衝撃吸収材７４及び７６を含む。一方の層７４は、上側カバー・パネルとシンチレータ層５８との間に介設されるように、上側カバー・パネル５４の下面を押圧して密着されるか、又は他の場合には上側カバー・パネル５４の下面に近接して配置される。他方の層７６はマザーボード７２と下側パネル５６との間に介設されるように、下側パネル５６の上面に密着されるか、又は他の場合には下側パネル５６の上面に近接して配置される。２層の衝撃吸収層７４及び７６を図示しているが、検出器が、好ましくは上側カバー・パネル５４の下面を押圧して密着されている単一の層のみを含んでいてもよいし、又は検出器の各構成要素の間に介設されている多数の層を含んでいてもよいものと思量される。この観点で、衝撃吸収材は放射線を減弱させないように設計されており、このようなものとして、データ取得を妨げない。
【００３４】
衝撃吸収材は好ましくは粘弾性材料であって、この材料は、落下したときに検出器に加わる衝撃及び振動を吸収するばかりでなく、例えば足の走査の場合の立位の患者のように検出器の上を踏むとき又は他の場合には負荷を蒙ったときに、検出器に加わる力を偏向させるようにも設計されている。この観点で、衝撃吸収材は、負荷を蒙ったときに変形するが、負荷が取り除かれたら元の形状を復元する。このようなものとして、衝撃吸収材は記憶を有している。
【００３５】
粘弾性材料はフォームであっても他のプラスチックであってもよく、検出器に対する応力及び歪みを偏向させ吸収するように設計されている。このようなものとして、検出器の上を踏んだり又は検出器が落下したりしたときに検出器の内部構成要素例えばシンチレータ層、検出器素子アレイ、ガラス基材及びマザーボードは破損しないが、他の場合には損傷を受ける。当業者は、衝撃吸収材の厚み、密度及び組成を、検出器が負荷を蒙り又は落下しながらも検出器構成要素に損傷を与えない限度を画定するように可変的に選択し得ることを認められよう。但し*、好ましくは、検出器は、検出器が２０ｃｍの距離から落下した場合及び／又は３７０ポンドの点負荷を蒙った場合にも損傷が起こらないように、十分な衝撃吸収材を有すべきである。
【００３６】
さらに、層７４及び７６は類似した厚み又は異なった厚みを有していてよく、また類似の衝撃吸収材又は異なった衝撃吸収材で構成されていてよいものと思量される。例えば、層７４を、層７６よりも高い吸収性及び偏向性を有するように設計することができる。この観点で、層７４を、層７６よりも厚くするか、又は吸収性及び偏向性を高めた材料で形成することができる。加えて、層７４を顕著な粘弾性を有するフォームで形成して、層７６をポリカーボネート、ＰＶＣ又は他の顕著とまでは言えない粘弾性を有する材料で形成してもよい。
【００３７】
図５を参照すると、Ｘ線検出器３０は、衝撃吸収性挿入材７８をＸ線検出器カバー４８の周辺を巡って内側に配置された空隙に配置するように構成され得るものと思量される。挿入材は、検出器カバーの周辺全体を巡って内側に配置されてもよいし、又は図５に示すように、所定の衝撃ゾーン８０に配置されてもよい。例えば、挿入材７８を検出器３０の各々の角（かど）に配置することができる。従って、落下したときに、検出器が床又は他の表面に角で衝突し易くなる。検出器の重量分布によって、検出器が落下したときに床又は他の表面に角で衝突する確率を高めるように構築し得ることは認められよう。カバー４８の角に衝撃吸収材を組み入れることにより、落下の事態の衝撃及び結果として生ずる振動は挿入材７８によって吸収されて、検出器の内部構成要素に伝達するのを防ぐことができる。衝撃の全てが吸収されなかったり又は他の場合には偏向されなかったりする場合があるが、内部構成要素が遭遇するあらゆる衝撃又は振動が、内部構成要素に損傷を与えるには不十分な大きさを有するように十分な百分率の衝撃が吸収されることは認められよう。加えて、検出器の内側に挿入材を組み入れることにより、検出器の全体寸法及び重量は、仮に増大しても無視できる程度にしか増大しない。
【００３８】
挿入材７８を、上側カバーと下側パネルとの間に配置された衝撃吸収材の層、及び図４に示して説明したような検出器の内部構成要素と共に用い得るものと思量される。この観点で、衝撃吸収材の層は、衝撃吸収性よりも高い偏向性を備えた材料で作製することができる。一方、挿入材７８は、偏向性よりも高い衝撃吸収性を有する材料で作製することができる。この構築の結果として、検出器は、挿入材又は衝撃吸収材の層の単独で達成されるよりも大きな点負荷及び大きな衝撃に対処することが可能になる。
【００３９】
また、Ｘ線検出器カバーの外周に、衝撃吸収材の「バンパー」を固定するか、密着させるか又は他の場合には接続し得るものと思量される。この実施形態を図６に示す。図示のように、衝撃吸収材のバンパー８２を、検出器カバー４８の１又は複数の角を押圧して密着させることができる。角を衝撃ゾーンと指定しているので、バンパーを各々の角に示している。カバー４８の周辺を巡って他の衝撃ゾーンを指定し、このようなものとして、かかる衝撃ゾーンがバンパーを収容してもよいことは認められよう。この観点で、連続したバンパーが、カバー４８の周辺全体を押圧して密着され得るものと思量される。図４及び図５について記載した実施形態とは対照的に、図６に示すバンパー８２は検出器の寸法を増大させる場合がある。一方、検出器の寸法を増大させないようにしてカバー４８の角をバンパー８２で置き換え得ることも思量される。
【００４０】
例えば、カバーの角以外の全体にわたって複合材を用いるのではなく、衝撃吸収材を角に用いるような態様でカバー４８を成形することができる。或いは、角以外でカバー４８を先ず構築して、適正に成形されたら、角に画定された空隙を満たすように楔形の衝撃吸収材をカバーに接着するか又は他の場合には密着させてもよい。さらに、図５に示す実施形態と同様に、図６の検出器を、選択された衝撃ゾーンに衝撃吸収材を含むと共に図４に示すもののような衝撃吸収材の層を含むように構築してもよい。
【００４１】
図７について説明する。同図には、Ｘ線検出器用のドッキング・ステーション８４が示されている。図示のドッキング・ステーション８４は、多数のＸ線検出器３０を保管する寸法に作製されているが、ドッキング・ステーションが単一のＸ線検出器を保管するように設計されてもよいものと思量される。ドッキング・ステーション８４は、自立型であって、このようなものとして脚８６を含んでいてもよいし、又は習用の態様で壁若しくは他の構造（図示されていない）に装着されてもよい。ドッキング・ステーションは、二つの目的を有する装置であり、すなわち使用中でないＸ線検出器を保管するように設計され、また保管されているＸ線検出器の温度を調節する熱交換器及び熱制御を含む。後述するように、輻射、伝導、対流又はこれらの組み合わせの原理に従って、保管されているＸ線検出器の熱調節を達成し得るものと思量される。
【００４２】
図８には、ドッキング・ステーション８４の内部のＸ線検出器３０の位置揃え及び保管をドッキング・ステーション８４の上面図で示す。一実施形態では、ドッキング・ステーション８４は、ドッキング・ステーション８４の底面９２から伸びて、各々が単一のＸ線検出器３０を収容する寸法に作製されている複数の収容器９０を画定する複数のリブ８８を含んでいる。リブ８８は好ましくは、Ｘ線検出器３０の外面に損傷を生じないで保管するために、収容器９０に挿入されたときのＸ線検出器３０の配置を決める粘弾性材料又はフォームで形成されている。後に詳述するように、ドッキング・ステーションは、各々のＸ線検出器とインタフェイス接続する制御器を含んでいる。このようなものとして、各々のＸ線検出器は、ドッキング・ステーションの底面に設けられた相手コネクタと適合するピン形又はソケット形のコネクタを含んでいる。利用者によるＸ線検出器とドッキング・ステーションインタフェイス・コネクタとの接続を容易にするために、リブ８４は、Ｘ線検出器が内部に配置されたときの通路を画定するように設計されており、Ｘ線検出器とドッキング・ステーションとの間の接続は、比較的容易に、且つドッキング・ステーション内での各回のＸ線検出器の配置によって繰り返すことのできる態様で、達成される。
【００４３】
図８に示すように、ドッキング・ステーション８４の底面９２は、周囲空気のような冷却流体又は加熱流体のドッキング・ステーションへの流入を可能にする複数のボア９４を含んでいる。図９を参照すると、ボア９４はドッキング・ステーション８４の底面９２を貫通して伸びており、このようなものとして、複数の熱交換路９６を画定する。交換路９６は、周囲空気が底面９２を通って、保管されているＸ線検出器３０の外面に沿って上方に流れることを許すように設計されている。空気がＸ線検出器３０の周囲を流れるにつれて、検出器３０から熱が除去されて、Ｘ線検出器は所望の温度になる。また、冷却体又は発熱体（図示されていない）を熱交換路９６に配置して、熱交換路９６を流れる空気の温度を操作し、Ｘ線検出器の熱調節を促し得ることも思量される。加えて、ドッキング・ステーション８４は、Ｘ線検出器３０が床に平行に保管されているような従来の態様で壁に装着されていてもよい。結果として、熱交換路９６を流れる自然な空気流が増大して、Ｘ線検出器３０の促進加熱及び／又は冷却を行なうことができる。
【００４４】
続けて図９を参照すると、上述のように、各々のＸ線検出器３０は、ドッキング・ステーション８４の底面９２に固定されているソケット又は適合コネクタ１００とインタフェイス接続するコネクタ９８を含んでいる。接続されているときには、ドッキング・ステーション８４は、スマート式でＸ線検出器の温度を調節し、又はＸ線検出器が所望の温度に達していないとの指標を与えることができる。すなわち、各々のＸ線検出器３０には、表面温度及び内部温度を監視するセンサ（図示されていない）を装備することができる。次いで、センサは、ドッキング・ステーション８４の制御器（図示されていない）にフィードバックを供給することができる。すると、ドッキング・ステーションの制御器は、センサからフィードバックを絶えず受け取りながらＸ線検出器を熱調節することができる。フィードバックから、ドッキング・ステーションはＸ線検出器が所望の温度に達したか否かを確認し、これに応じてＬＥＤ（図示されていない）を点灯することができる。ＬＥＤはＸ線検出器に設けられていてもよいしドッキング・ステーション自体に設けられていてもよいし。このようなものとして、Ｘ線検出器が所与の温度まで又は所望の温度範囲内に冷却又は加熱されたら、ＬＥＤを点灯させて、Ｘ線検出器が使用に供される準備ができたことを利用者に知らせる。反対に、Ｘ線検出器の温度が所望の温度範囲外にあるときには、利用者にそうと知らせるＬＥＤを点灯することができる。
【００４５】
本発明はまた、保管されているＸ線検出器の温度を調節する強制空気対流の利用も思量している。図１０を参照すると、ドッキング・ステーション８４に、開口１０６を介して周囲からの空気１０４を吸入するように設計されているファン・アセンブリ１０２を装備することができる。ファン・アセンブリ１０２は可変速ファンであると好ましい。この観点で、保管されているＸ線検出器に設けられている温度センサから受け取ったフィードバックをドッキング・ステーションの制御器によって処理して、このフィードバックを用いてファン１０２の速度を制御することができる。熱交換路９６を介して空気をまとめて強制流動させる単一のファン１０２が図示されているが、各々のＸ線検出器収容器９０にファンを装備し得ることも思量される。加えて、熱交換過程を促すために熱交換路９６内に発熱体及び／又は冷却体を含むように各々の収容器を装備し得るものと思量される。さらに、ドッキング・ステーション８４にカバーを設けずに図示しているが、カバーを用いてドッキング・ステーション内にＸ線検出器を密閉し得ることも思量される。この観点で、吸入された空気をドッキング・ステーション全体に循環させてもよい。このようなものとして、１基のＸ線検出器からの熱を利用して、冷えたＸ線検出器を加熱する、またその反対を行なって、Ｘ線検出器のバンク全体での温度平衡を達成することができる。
【００４６】
図１１には、本発明の代替的な実施形態によるドッキング・ステーションの上面図を示す。本実施形態では、ドッキング・ステーション８４は、リブ８８と熱電変換素子１０８とを含んでいる。熱電変換素子１０８は、Ｘ線検出器３０を冷却しまた加熱するペルチェ素子を含んでいてよい。素子１０８は、保管されている検出器に接触してそこからの熱を放散するヒート・シンクを含んでいる。各々のＸ線検出器３０に単一の熱電変換素子１０８を用いてもよいし、又は図示のように、各々のＸ線検出器３０に１対の熱電変換素子１０８を用いてもよいものと思量される。熱電変換モジュール１０８はまた、検出器が保管されているときに配置される保管収容器の境界を画定するように構成されている。
【００４７】
図１１の線１２−１２に沿って見た断面図を図１２に示す。図１２は、保管されているＸ線検出器３０に対して各々の熱電変換モジュール１０８について思量される高さを示す。好ましくは、各々のモジュール１０８は、各々のＸ線検出器３０の少なくともテンプレート５２（図３）を覆う寸法に作製される。上述の各実施形態と同様に、ドッキング・ステーション８４は、Ｘ線検出器からドッキング・ステーションの制御器までの温度データの連絡を容易にするための各々の保管されているＸ線検出器側の相手９８に接続可能なコネクタ１００を含んでいる。この観点で、熱電変換素子を、各々のＸ線検出器の所望の熱調節を達成するように動的に制御することができる。周知のように、ペルチェ素子の動作は、素子に印加される電流の方向によって制御される。このようなものとして、ドッキング・ステーションの制御器は、対応するＸ線検出器３０の冷却又は加熱のいずれかを行なうように各々の熱電変換素子に対し選択的にバイアスを印加することができる。
【００４８】
さらにもう一つの思量される実施形態を図１３に示す。本発明は、加熱器／冷却器アセンブリ１１０によって循環され得る熱交換流体の利用を思量している。この観点で、ドッキング・ステーション８４は、保管されているＸ線検出器３０の周りに液体冷却材のような流体を循環させる多数の流体路１１２を含む。当業者は、アセンブリ１１０が、流体路１１２を通して流体槽１１４からの流体の循環を行なうモータ及びポンプ・アセンブリを含むことを認められよう。本実施形態では、冷却材をドッキング・ステーション全体にわたって循環させると好ましい。この観点で、「熱した」Ｘ線検出器からの熱を用いて周囲を流れる冷却材を加熱し、次いで、この熱を「冷えた」Ｘ線検出器に伝達してもよいし、流体槽に預けて比較的一定の流体槽温度を保つのを助けてもよい。また、アセンブリ１１０が、熱交換流体を直接的に加熱又は冷却する冷却器又は加熱器を含み得ることも思量される。アセンブリ１１０の動作は、インタフェイス９８〜１００を介して保管されているＸ線検出器の温度センサから受領されるフィードバック・データによって制御することができる。
【００４９】
図１４に、以上に述べたドッキング・ステーションの動作をブロック図で概略図示する。ドッキング・ステーション８４は、検出器バンク１２２の各々の保管されているＸ線検出器３０の温度センサ１２０からフィードバック１１８を受領するように構成されている制御器１１６を含んでいる。各々の検出器３０から受領されたフィードバックによって、制御器は、各々の保管されているＸ線検出器３０についてＬＥＤバンク１２６のＬＥＤ１２４を点灯する。ＬＥＤバンク１２６は、Ｘ線検出器３０に配置されてもよいし、又はドッキング・ステーション自体に配置されてもよい。一つの思量される実施形態では、制御器は、Ｘ線検出器が所望の範囲内にある場合には「緑色」ＬＥＤを、Ｘ線検出器が所望の範囲外にあるが利用可能な範囲内にある場合には「黄色」ＬＥＤを、またＸ線検出器が、検出器の動作に著しい影響を与え得る温度又は最大許容使用温度を上回る温度にある場合には「赤色」ＬＥＤを点灯する。当業者は、他の指標及び指示方法を用い得ることを認められよう。加えて、ドッキング・ステーションは、周囲の相対湿度を監視して、制御器１１６にフィードバック１２９を与える湿度センサ１２７を含んでいてよい。
【００５０】
フィードバック１１８及び１２９から、制御器１１６は、熱交換システム１２８の動作を調節する。例えば、ファンを組み入れたドッキング・ステーションでは、ファンの速度を調節することができる。熱電変換素子を有するドッキング・ステーションでは、各々の熱電変換素子に印加されるバイアスを調節することができる。冷却材を循環させるように設計されたドッキング・ステーションでは、冷却材流を調節することができる。保管されている検出器の周囲に圧縮空気を流すコンプレッサを有するドッキング・ステーションでは、制御器は保管されているＸ線検出器の温度に基づいてコンプレッサの動作を調節することができる。つまり、制御器１１６は、保管されているＸ線検出器の温度を速やかに所望の温度範囲内にするように熱交換システムを調節し、すなわち測定されたＸ線検出器温度と所望の温度との差を小さくする。さらに、制御器は、保管されているＸ線検出器の温度と所望の温度とを比較し、この比較から、保管されているＸ線検出器の内部構成要素に対して熱応力を与えずに保管されているＸ線検出器の温度を所望の温度にするのに必要な温度調節速度を決定するようにプログラムされる。さらに、制御器１１６が、保管されているＸ線検出器及びドッキング・ステーション構成要素での結露を防ぐように相対湿度を考慮に入れて熱交換システム１２８を調節すると好ましい。この観点で、冷却中のＸ線検出器の「停止時間」又は冷えたＸ線検出器の「暖機時間」が短縮される。停止時間及び暖機時間を短縮することにより、Ｘ線検出器の動作性が実効的に向上し、患者スループットが高まり、且つＸ線検出器の調達の必要性が小さくなる。
【００５１】
ドッキング・ステーション８４は、自立型装置であってもよいし、壁掛け型であってもよいし、Ｘ線スキャナに組み入れらていてもよいものと思量される。この観点で、可動型Ｘ線スキャナばかりでなく固定又は静止型Ｘ線スキャナが、Ｘ線検出器の保管及び熱調節の専用のドッキング・ステーションを有していてよい。また、ドッキング・ステーションは可動型装置であってもよく、このようなものとして、車輪付き脚を組み入れることが思量される。加えて、ドッキング・ステーションは、業務用電源への接続が可能でない場合にドッキング・ステーションの電子的構成要素に給電するバッテリを含んでいてもよい。さらに、以上に述べたドッキング・ステーションは、類似した寸法に作製されているＸ線検出器について示されているが、ドッキング・ステーションが、様々な寸法に作製されているＸ線検出器を保管し熱的に調節するように設計され得ることも思量される。加えて、上述のように、ドッキング・ステーションは、保管されているＸ線検出器と連絡するように設計されている。Ｘ線検出器をＸ線スキャナに接続するのに用いられるものと同じコネクタを用いて、ドッキング・ステーションとインタフェイス接続し得るものと思量される。この接続はシリアル接続又はパラレル接続を介したものであってよく、例えばＵＳＢ、ＩＥＥＥ１３９４及びイーサネット（商標）であってよい。また、無線接続を介して温度データをＸ線検出器からドッキング・ステーションへ連絡し得ることも思量される。この観点で、ドッキング・ステーションは、データの無線伝達及び処理をサポートするアンテナ、受信器及び他の動作サーキットリを含んでいてよい。
【００５２】
加えて、ドッキング・ステーションは、直接的電気接点又は誘導のような多くの手法の一つを用いて、バッテリ又は保管されている検出器のエネルギ貯蔵装置を充電又は再充電するように構成されていてよい。この観点で、Ｘ線検出器用の収容器が、充電のための電気的接続を形成し得るように、Ｘ線検出器に対するばね荷重式接点又は他の何らかの連続的電気接続の方法を有していてよい。誘導を用いて露出したリードを回避してもよい。誘導は保管されているＸ線検出器に熱を付加する場合があるが、本書に述べたドッキング・ステーションの環境制御によって、誘導充電による熱の付加にも拘わらず、保管されているＸ線検出器の温度を所定の限度内に保つことが可能になる。Ｘ線検出器のバッテリの充電は、Ｘ線検出器をドッキング・ステーションに接続する上述のインタフェイスを介して行なうこともできる。
【００５３】
従って、本発明は、少なくとも１基のＸ線検出器を保管する寸法に作製されている保管容器を有するＸ線検出器保管装置を含む。この保管装置はまた、保管されているＸ線検出器の温度を所望の温度に調節するように構成されている温度調節器を有する。
【００５４】
また、Ｘ線検出器保管装置が提供され、この装置は、Ｘ線検出器の非使用中にＸ線検出器を収容する寸法に作製されている収容器を含んでいる。この装置はまた、収容器に接続されておりＸ線検出器が収容器内に配置されたときのＸ線検出器の温度についてのフィードバックを供給するように構成されている温度制御インタフェイスを有している。熱交換システムが、Ｘ線検出器が収容器内に配置されているときのＸ線検出器の温度を調節するように構成されている。この装置はさらに、フィードバックを受け取って、収容器に配置されているＸ線検出器の温度と所望の温度との間の差を小さくするように熱交換システムを制御すべく接続されて動作する制御器を含んでいる。
【００５５】
さらに、本発明は、１基又は複数のフラット・パネルＸ線検出器を収容する寸法に作製されている保管容器と、保管容器に配置されているフラット・パネルＸ線検出器から温度データを受領するように構成されているインタフェイスとを有するＸ線検出器ドッキング・ステーションを含んでいる。ドッキング・ステーションはさらに、インタフェイスから受領した温度データに基づいてフラット・パネルＸ線検出器の温度を調節する手段を含んでいる。
【００５６】
本発明は好適実施形態について説明されており、明記した以外の均等構成、代替構成及び改変が可能であり、特許請求の範囲内にあることが認められよう。
【図面の簡単な説明】
【００５７】
【図１】例示的な可動型Ｘ線イメージング・システムの見取り図である。
【図２】図１に示す例示的なＸ線イメージング・システムの概略ブロック図である。
【図３】本発明を組み入れた可搬型固体フラット・パネル・ディジタルＸ線検出器の遠近図である。
【図４】図３に示すＸ線検出器の分解組立図である。
【図５】本発明のもう一つの実施形態による可搬型固体フラット・パネル・ディジタルＸ線検出器の遠近図である。
【図６】本発明のさらにもう一つの実施形態による可搬型固体フラット・パネル・ディジタルＸ線検出器の遠近図である。
【図７】本発明によるＸ線検出器ドッキング・ステーションの遠近図である。
【図８】図７に示すＸ線検出器ドッキング・ステーションの上面図である。
【図９】図８のＸ線検出器ドッキング・ステーションを線９−９に沿って見た断面図であって、本発明による保管されているＸ線検出器の温度を調節する一実施形態を示す図である。
【図１０】本発明のもう一つの観点による保管されているＸ線検出器の温度を調節するもう一つの実施形態を示す図９と同様の断面図である。
【図１１】本発明のさらに他の実施形態によるＸ線検出器ドッキング・ステーションの上面図である。
【図１２】図１１のＸ線検出器ドッキング・ステーションを線１２−１２に沿って見た断面図である。
【図１３】本発明のもう一つの実施形態によるＸ線検出器ドッキング・ステーションの断面図である。
【図１４】本発明の一観点による熱調節式ドッキング・ステーションの概略ブロック図である。
【符号の説明】
【００５８】
１０  可動型Ｘ線イメージング・システム
１２  Ｘ線源
１４  支柱
１６  可動型Ｘ線ユニット台
１８  高電圧ケーブル
２０  水平アーム
２１  可倒式保管容器
２２  ファン・ビーム
２４  焦点スポット
２６  軸
２８  撮像対象
３０  フラット・パネル・ディジタル検出器
３２  コリメータ・アセンブリ
３４  ホスト・インタフェイス
４８  カバー
５０  把手
５２  テンプレート
５４  上側カバー
５６  下側カバー
５８  シンチレータ層
６０  検出器素子アレイ
６２  検出器素子
６４  感光領域
６６  電子回路領域
６８  ガラス基材
７０  検出器パネル支持体
７２  電子回路
７４、７６  衝撃吸収材層
７８  挿入材
８０  衝撃ゾーン
８２  バンパー
８４  Ｘ線検出器用ドッキング・ステーション
８６  脚
８８  リブ
９０  収容器
９２  底面
９４  ボア
９６  熱交換路
９８  コネクタ
１００  ソケット
１０２  ファン・アセンブリ
１０４  周囲空気
１０６  開口
１０８  熱電変換素子
１１２  流体路
１１４  流体槽
１１８、１２９  フィードバック
１２０  温度センサ
１２２  検出器バンク
１２４  ＬＥＤ
１２６  ＬＥＤバンク
【図１】
2006102492.tif 000003
【図２】
2006102492.tif 000004
【図３】
2006102492.tif 000005
【図４】
2006102492.tif 000006
【図５】
2006102492.tif 000007
【図６】
2006102492.tif 000008
【図７】
2006102492.tif 000009
【図８】
2006102492.tif 000010
【図９】
2006102492.tif 000011
【図１０】
2006102492.tif 000012
【図１１】
2006102492.tif 000013
【図１２】
2006102492.tif 000014
【図１３】
2006102492.tif 000015
【図１４】
2006102492.tif 000016